(57)【要約】      （修正有）【課題】マーカーをマーカー本体からキャップを分離することなくマーカー収納部に収納することができ、且つ、単にマーカー本体をマーカー収納部から抜き出すだけでマーキングでき、挿し込むだけで収納できる新規なマーカー収納部を有する作業用ケースを提供する。【解決手段】ベルトａにより吊り下げられる被吊下部分４と連結された筒状のマーカー収納部１２の内周面の一部に、収納されるマーカーｄのキャップｃが回転されるとその外周面に喰い込んで雄ねじｅを形成する雌ねじ１６を形成する。雄ねじｅは雌ねじ１６と螺合するねじなので、その螺合によりマーカー収納部１２とキャップｃとの結合状態が保たれ、マーキングの前後にマーカー本体ｂにキャップｃを着脱するためだけの作業を必要としない。また、マーカー収納時にはキャップｃをマーカー本体ｂから離さなくて済む。【選択図】図２
0003151507.tif 000002
【実用新案登録請求の範囲】
【請求項１】
ベルトを通す部分を有し、その部分に通されるベルトにより吊り下げられる被吊下部分と、
上記被吊下部分と連結された、筒状のマーカー収納部と、
を少なくとも有し、
上記筒状のマーカー収納部の内周面の一部に、挿入されるマーカーのキャップが回転されるとその外周面に喰い込んで雄ねじを形成する雌ねじが形成されてなる
ことを特徴とする作業用ケース。
【請求項２】
前記筒状のマーカー収納部の少なくとも雌ねじが形成された部分が剛性がある材料、例えば金属からなる
ことを特徴とする請求項１記載の作業用ケース。
【考案の詳細な説明】
【技術分野】
【０００１】
本考案は、ベルトを通す部分を有しその部分に通されるベルトにより吊り下げられる被吊下部分とこの部分と連結されたマーカー保持部分を少なくとも有する作業用ケースに関する。
【背景技術】
【０００２】
建築、建設現場では、筆記具によって印をつけ、その印を目印として各種作業が行われる場合が多い。
そのため、建築、建設に携わる現場作業員の多くは、例えば特開２００３−０８０４７４号公報（：特許文献１）に記載されたような筆記収納部を有する作業用ケースをベルトに吊り下げ、筆記収納部に筆記具、例えばチョークを収納して現場に臨む。
【０００３】
勿論、作業内容に応じて他の工具を、その作業用ケースの別の収納部に、或いは別の作業用ケース、例えば特開２００５−０８８１６３号公報（：特許文献２）に記載されたような作業用ケースの収納部に装着して臨む場合も多い。
上記特許文献１に記載された作業用ケースは、収納する筆記具がチョークに限定されているが、最近は、マーカー本体とその先端の筆記部に覆うように着脱自在に装着されるキャップからなるマーカーが筆記具として多く使用される傾向にある。
【０００４】
従って、マーカーを収納する収納部を備えた作業用ケースも開発されている。
そのような作業用ケースの従来例として、収納部の主部が筒状或いはコイルスプリング状に形成され、その収納部にマーカーを収納するようにしたものがある。
【０００５】
このような従来例の作業用ケースは、マーカーでマークをつけるときは、マーカーをマーカー収納部から右手で引き抜き（右利きの場合）、例えば左手でキャップを握り、右手でキャップ本体をキャップから引き抜き、その後、マーキングし、マーキングし終わると、キャップをマーク本体先端の筆記部に装着し、その状態でマーカー収納部にマーカーを収納するという態様で使用される。
【先行技術文献】
【特許文献】
【０００６】
【特許文献１】特開２００３−０８０４７４号公報
【特許文献２】特開２００５−０８８１６３号公報
【考案の概要】
【考案が解決しようとする課題】
【０００７】
ところで、特許文献１（：特開２００３−０８０４７４号）に記載されたマーカー収納部を有する上記従来例の作業用ケースには、マーキング前にはキャップをマーカー本体から外し、その間、キャップを例えば左手で持ったまま（右利きの場合）マーキングし、マーキングし終えると左手で持っていたキャップをマーカー本体の先端に装着し、その状態でマーカー収納部に戻すことが必要であった。
【０００８】
即ち、マーキングの前後にキャップのマーカー本体との着脱が必要となるという面倒さがあった。マークをつける作業と他の作業とを交互に頻繁に繰り返す場合、この面倒さは、作業能率の低下、疲労の増大は無視できない程度になる。
【０００９】
本考案は、このような問題を解決すべく為されたものであり、マーカーをマーカー本体からキャップを分離することなくマーカー収納部に収納することができ、且つ、常にマーカー本体の筆記成分の揮散を防止ためのキャップとしてそのマーカー本体に元来附属しているものをマーカー本体の筆記部に装着することができ、延いては、マーカーを交換してもそれに応じた新しさを持つキャップによって気密保持を良好確実に行うことができ、更には、単にマーカー本体をマーカー収納部から抜き出すだけでマーキングでき、挿し込むだけで収納できる新規なマーカー収納部を有する作業用ケースを提供することを目的とする。
【課題を解決するための手段】
【００１０】
本考案マーカー収納部を有する作業用ケースは、ベルトを通す部分を有しその部分に通されるベルトにより吊り下げられる被吊下部分とこの被吊下部分と連結された、筒状のマーカー収納部を少なくとも有し、マーカー収納部の内周面の一部に、挿入されるマーカーのキャップが回転されるとその外周面に喰い込んで雄ねじを形成する雌ねじが形成されてなることを特徴とする。
【００１１】
作業用ケースは全体を剛性のある材料、例えば金属により形成しても良いし、一部、例えばマーカー収納部、或いはマーカー収納部の少なくとも雄ねじの形成された部分を剛性のある材料、例えば金属により形成しても良い。
尚、マーカーのキャップの回転には、キャップのマーカー収納部から突出した先端部分を把持してキャップを直接まわすことにより行う場合と、マーカー本体を強く押しながらまわすことにより行う場合がある。
【考案の効果】
【００１２】
本考案マーカー収納部を有する作業用ケースによれば、少なくともキャップを先端側から筒状のマーカー収納部に挿入し、そのキャップを回転させることによりマーカー本体内周面の一部に形成された雌ねじをキャップ外周面に喰い込ませてこの外周面に上記雌ねじに螺合する雄ねじを形成することができる。
【００１３】
従って、上記雌ねじと上記雄ねじの螺合によりキャップとマーカー収納部との連結状態を保持することができ、単にマーカー本体をマーカー収納部から抜き出すだけでマーキングでき、挿し込むだけで収納できる。
依って、マーキングの前後にキャップのマーカー本体との着脱を必要としない。
【００１４】
また、本考案マーカー収納部を有する作業用ケースによれば、マーカー収納部に対してキャップが着脱可能であるので、マーカーはマーカー本体のみならず、キャップも交換することができる。
従って、常に、現在使用しているマーカー本体先端の筆記部がそのマーカー本体に附属するキャップにて気密保持されるようにすることができる。この点についてより詳しく説明すると次の通りである。
【００１５】
即ち、マーカーを寿命が尽きる等して交換する場合、もしも、マーカー本体のみ新しくでき、その先端の筆記部に装着する気密保持部分を新しくできない場合には、マーカー本体が新しいのにその筆記部に装着される気密保持部分は古いままで劣化し、気密保持機能が低下するというような不都合が生じ得る。
しかしながら、本考案の作業用ケースによれば、古いマーカーのキャップをねじ戻して作業用ケースから取り外し、新しいマーカーに附属している新しいキャップをマーカー収納部にその雌ねじがそのキャップ外周面に喰い込んで雄ねじが形成されるように装着することができる。それ故、キャップについても交換可能なのである。
【００１６】
従って、常に、現在使用しているマーカー本体先端の筆記部がそのマーカー本体に附属するキャップにて気密保持されるようにすることができるのである。
依って、マーカー本体が交換により新しいのに、マーカー本体の筆記部を機密保持する部分が古いままで劣化して気密保持力が低下するという不都合を回避することが可能となり、常に、マーカー本体の新しさに対応した新しさを持つキャップにて必要な気密保持をすることが可能にすることができる。
【００１７】
また、マーカー本体とその筆記部先端に装着するキャップが共に交換可能なので、マーカーの収納を、マーカー本体とそれに附属するキャップとを分離することなく為すことができる。
従って、作業中にキャップを紛失してしまうおそれをなくすことができる。
【図面の簡単な説明】
【００１８】
【図１】本考案マーカー収納部を有する作業用ケースの一つの実施例を示す斜視図である。
【図２】（Ａ）〜（Ｃ）は上記実施例を示すもので、（Ａ）は一部切欠正面図、（Ｂ）は側面図、（Ｃ）は（Ａ）のＣ−Ｃ線視断面図である。
【考案を実施するための形態】
【００１９】
本考案は、基本的に、ベルトにより吊り下げられる被吊下部分と連結された筒状のマーカー収納部の内周面の一部に、挿入されるマーカーのキャップが回転されるとその外周面に喰い込んで雄ねじを形成する雌ねじが形成されてなるものであるが、マーカー収納部はそれに形成された雌ねじがキャップによって劣化、破損しないように、機械的強度の強い材料、例えば金属により形成するようにすると良い。
【００２０】
尚、本考案のマーカー収納部を有する作業用ケース実施の形態には、工具等を収納する収納部としてマーカー収納部のみを有する態様と、マーカー収納部の他に一又は複数の収納部を有する形態がある。
被吊下部分はベルトを通されてベルトに吊り下げられればどのような形態であっても良い。
また、被吊下部分とマーカー収納部とは固定されていても良いし、着脱可能であっても良い。
【実施例１】
【００２１】
以下、本考案の詳細を図示実施例に基いて説明する。
図１及び図２（Ａ）〜（Ｃ）は本考マーカー収納部を有する作業用ケースの一つの実施例を示すもので、図１は本考案作業用ケースの一つの実施例を示す斜視図、図２（Ａ）は一部切欠正面図、（Ｂ）は側面図、（Ｃ）は（Ａ）のＣ−Ｃ線視断面図である。
【００２２】
図面において、２は作業用ケース、４は被吊下部で、Ｌ字状の金属片からなる。８、８はこの金属片からなる被吊下部４の縦片部６に形成された一対のベルト挿通孔で、このベルト挿通孔８、８には建築或いは建設作業員が装着するベルトａが通されることによりそのベルトａにより作業用ケース２が吊り下げられた状態になる。
１０はＬ字状の金属片からなる被吊下部４の横片部で、この先端部に無底筒状のマーカー収納部１２が一体乃至一体的に取り付けられている。
【００２３】
１４はマーカー収納部１２の下部内周面に一体に形成されたリング状部で、その内周面には雌ねじ１６が形成されている。
この雌ねじ１６は、マーカー収納部１２にマーカーｄを挿入したときそのキャップｃを回転することによりキャップｃに喰い込んでその外周面に雄ねじｅを形成するようにするためのものである。この雄ねじｅは、雌ねじ１６のねじ込みにより形成されたものなので、必然的に雌ねじ１６に螺合するねじとなる。
【００２４】
このような作業用ケース２によれば、作業に臨む際にベルト挿通孔にベルトａを通してベルトａに作業用ケース２を吊り下げた状態にし、マーカー本体ｂにキャップｃを装着した状態のマーカーｄを下向きにしてマーカー収納部１２に挿し込み、例えばキャップｃのマーカー収納部１２から突出した先端部を摘んでこのキャップｃを強く回転することにより、上記雌ねじ１６をキャップｃ外周面に喰い込ませて雄ねじｅを形成する。
すると、その雌ねじ１６と雄ねじｅとの螺合によりキャップｃとマーカー収納部１２との連結状態が維持される。
【００２５】
その結果、マーキングするに際しては、単に、マーカー本体ｂを抜けば、キャップｃがマーカー収納部に螺合固着された状態でマーカー収納部１２から離すことができるので、マーカー本体ｂからキャップｃを外す必要はない。
また、マーキングを終えた時は、単に、マーカー本体ｂをマーカー収納部１２に納め、そのマーカー本体ｂの先端部をキャップｃに嵌まるようにすればマーカーｄがマーカー収納部１２に納まった状態にすることができ、マーカー本体ｂにキャップｃを嵌めるためだけの操作は必要ではない。
【００２６】
従って、マーキングとそれと異なる作業を頻繁に繰り返す場合における作業能率を高めることができ、疲労を軽減することができる。
そして、例えば１日、半日等の作業を終えて各手工具を所定の保管場所に戻す場合には、キャップｃをねじ戻して雌ねじ１６と雄ねじｅとの螺合状態を解除し、マーカーｄをマーカー収納部１２から外し、作業用ケース２及びマーカーｄをそれぞれの保管場所にて保管すればよい。
【００２７】
依って、マーカーｄを作業用ケース２から外してマーカー２等を元の保管位置に戻すときキャップｃが紛失していたり、ポケットに入れて置いたキャップｃが作業中に壊れたりすることは起こるおそれがない。
【００２８】
そして、マーカーｄを使い切って交換する場合、古いマーカーのキャップｃをねじ戻して新しいマーカーに元々附属する新しいキャップｃをマーカー収納部１２に装着し、その新しいキャップｃにマーカー本体ｂの先端筆記部を装着すれば良く、古いキャップが劣化したまま使用され続けて気密保持機能が低下するおそれは回避することができる。
【産業上の利用可能性】
【００２９】
本考案は、ベルトを通す部分を有しその部分に通されるベルトにより吊り下げられる被吊下部分とこの被吊下部分と連結されたマーカー保持部分を少なくとも有する作業用ケースに利用可能性がある。
【符号の説明】
【００３０】
２・・・マーカー収納部を有する作業用ケース、４・・・被吊下部、
１２・・・マーカー収納部、１６・・・雌ねじ、
ａ・・・ベルト、ｂ・・・マーカー本体、ｃ・・・キャップ、
ｄ・・・マーカー、ｅ・・・雄ねじ。
【図１】
0003151507.tif 000003
【図２】
0003151507.tif 000004